(57)【要約】【課題】利用者の視聴履歴に基づいて、利用者の嗜好に近い録画番組情報や録画番組内の再生開始位置などを提示することで、利便性を向上させることができる録画再生装置に関する。【解決手段】映像音声データに含まれている管理情報を読み出して記憶部１０９に格納する演算部１１０とを備え、演算部１１０は、映像音声復号部１０５によって映像音声データが再生された時、再生された映像音声データに関連付けされている管理情報を記憶部１０９から読み出すとともに、時計制御部１１５から現在の日付時刻情報を取得し、管理情報と日付時刻情報とを関連付けした再生操作テーブルを生成するものである。【選択図】図１
2008148042.tif 000002
【特許請求の範囲】
【請求項１】
放送信号を映像データ及び音声データから構成される映像音声データに復調する復調部と、
前記復調部で復調された映像音声データを情報媒体に記録する記録部と、
前記情報媒体に記録されている映像音声データを再生する再生部と、
少なくとも現在の日付及び時刻の情報を含む日付時刻情報を出力する時計制御部と、
前記映像音声データに含まれている管理情報を読み出して記憶部に格納する演算部とを備えた録画再生装置であって、
前記演算部は、
前記再生部によって前記映像音声データが再生された時、再生された映像音声データに関連付けされている管理情報を前記記憶部から読み出すとともに、前記時計制御部から現在の日付時刻情報を取得し、
前記管理情報と前記日付時刻情報とを関連付けした再生操作テーブルを生成することを特徴とする録画再生装置。
【請求項２】
グラフィックスを作成する画像生成部と、
グラフィックスを前記映像データに合成する画像合成部とを、さらに備え、
前記演算部は、
本装置の起動時に、前記時計制御部から現在時刻の情報を取得し、
前記再生操作テーブルにおいて、前記現在時刻に近い時刻情報を有する前記日付時刻情報を検索し、
検索して取得した前記日付時刻情報に関連付けられた管理情報を取得し、
前記管理情報に含まれる情報に基づいて前記記憶部に格納されている管理情報を検索し、
検索して取得した前記管理情報に基づいてリストを作成し、
前記画像生成部は、前記リストに基づいたグラフィックスを生成し、
前記画像合成部は、前記画像生成部で生成された前記グラフィックスを前記映像データに合成する、
請求項１記載の録画再生装置。
【請求項３】
前記時計制御部は、曜日情報を取得可能であり、
前記再生操作テーブルは、前記時計制御部で取得された前記曜日情報を含み、
前記演算部は、
本装置の起動時に、前記時計制御部から現在曜日の情報を取得し、
前記再生操作テーブルにおいて、現在曜日に近い曜日情報を有する前記日付時刻情報を検索し、
検索して取得した前記日付時刻情報に関連付けられた管理情報を取得し、
前記管理情報に含まれる情報に基づいて前記記憶部に格納されている管理情報を検索し、
検索して取得した前記管理情報に基づいてリストを作成する、
請求項２記載の録画再生装置。
【請求項４】
使用者による操作を受け付ける操作部を、さらに備え、
前記演算部は、
前記操作部で受け付けた再生操作の種別を、前記種別毎に対応した定量的な値に変換し、
前記映像音声データを再生時、前記値を所定時間毎に記録した再生位置テーブルを生成する、
請求項１または３記載の録画再生装置。
【請求項５】
前記演算部は、
複数の前記再生位置テーブルにおける前記値を、前記所定時間単位で平均化した平均値を算出し、
前記平均値に基づいて再生操作の種別を確定し、
確定した前記種別において、通常再生の操作を行なったタイミングを再生位置候補としてリストを作成し、再生位置情報の提示を行なう、
請求項４記載の録画再生装置。
【請求項６】
前記再生位置テーブルは、前記映像音声データの時間長の種別毎に対応して複数個備えた、
請求項５記載の録画再生装置。
【請求項７】
前記再生操作テーブル及び前記再生位置テーブルのうち少なくともいずれか一方は、利用者毎に作成可能である、
請求項１〜６のいずれかに記載の録画再生装置。
【発明の詳細な説明】
【技術分野】
【０００１】
本発明は、各種放送番組を情報媒体に録画、または情報媒体に記録されている番組を再生可能な録画再生装置に関する。特に、ハードディスクビデオレコーダなどの大容量の情報媒体を具備するビデオレコーダにおいて、録画した番組を利用者が再生する際に、利用者の再生操作手順などの履歴情報を基にして、利用者が好む録画再生開始位置などの再生箇所の提示を行う機能を有するビデオデコーダ、および録画番組の再生開始位置の提示方法に関するものである。
【背景技術】
【０００２】
近年、ハードディスクビデオレコーダなどの大容量記憶媒体を具備するビデオデコーダが製品化され、さらに普及率も上がってきている。これからも、より大容量のハードディスクドライブなどの記憶媒体を具備するビデオデコーダが利用者から求められる。なおかつ、ＢＳ／ＣＳデジタル放送や地上波デジタル放送に対応したビデオデコーダも製品化されつつある。
【０００３】
利用者は、上記のようなビデオデコーダを用いて、放送番組を毎日もしくは毎週定期的に録画保存しておき、視聴が可能な時に、録画しておいた番組を適宜選択して視聴するという使い方が恒常的になってきている。
【０００４】
ここで、デジタル放送が普及するのに伴って、ビデオデコーダの一機能として、利用者の好みに合った番組の提示が行なわれ、より多くの番組を録画する機会が増えてきており、一方、録画蓄積した番組内容を利用者に適切に提示する必要性も高まっている。
【０００５】
具体的に、特開２００２−４４５４２号公報（特許文献１）には、タイムシフト再生中に利用者の再生操作のや再生範囲、再生回数、再生速度などの情報を取得し、その情報を解析することで、利用者の嗜好に沿う番組を提示する装置が開示されている。
【０００６】
また、特開２００５−７３０３７号公報（特許文献２）には、録画している番組の再生時に、早送り、スキップ、サムネール表示等により見たいシーンを検索して再生開始された場合、検索後の再生開始した際の位置の履歴をブックマークとして記憶し、以降の同一番組の視聴シーンを検索する際には記憶されたブックマークの一覧から選択し、この選択したブックマークに基づいて再生を開始することを実現して、録画されている同一番組内中の同一コーナーを視聴する際に、見たいシーンの検索を迅速に行なう事が可能なビデオレコーダを提供する装置を開示している。
【０００７】
また、特開２００５−１０９５２９号公報（特許文献３）には、録画番組を記録時刻順に管理したり、どこまで再生されたかを管理したりする管理部を備えることで、予め番組単位で番組全体を録画しておき、利用者が再生を指示すると、「番組全体が記録された未再生で最新の番組」を選んで以前の続きから再生する装置が開示されている。
【０００８】
また、特開２００６−５５１４号公報（特許文献４）には、コンテンツ対応の嗜好度の算出処理において、時間経過に伴って変化するコンテンツ対応の嗜好度の値を算出する構成とし、時間経過に伴って変化する嗜好度の値に従ったコンテンツリストを生成してユーザに提示する構成として、日時に応じた適格な嗜好度に応じたコンテンツリストの提示、コンテンツ再生を実現する装置および方法を提供する装置が開示されている。
【特許文献１】特開２００２−４４５４２号公報
【特許文献２】特開２００５−７３０３７号公報
【特許文献３】特開２００５−１０９５２９号公報
【特許文献４】特開２００６−５５１４号公報
【発明の開示】
【発明が解決しようとする課題】
【０００９】
しかし、上記の番組提示装置においては、ある番組において番組提示を行なうための情報を得てもその番組に対してのみしか適用できなかった。さらに、新たな番組を録画した場合に、既に取得していた番組提示情報を適用することができずに、番組提示の機能が限定されてしまうことが多かった。また、管理情報にジャンルが含まれている場合でも、利用者の嗜好に沿った番組単位の番組提示のみしか行なえず、番組内の細かな場面での提示は行なえなかった。
【００１０】
本発明は、上記課題に鑑み、利用者の視聴履歴に基づいて、利用者の嗜好に近い録画番組情報や録画番組内の再生開始位置などを提示することで、利便性を向上させることができる録画再生装置に関するものである。
【課題を解決するための手段】
【００１１】
上記目的を達成するために本発明の録画再生装置は、放送信号を映像データ及び音声データから構成される映像音声データに復調する復調部と、前記復調部で復調された映像音声データを情報媒体に記録する記録部と、前記情報媒体に記録されている映像音声データを再生する再生部と、少なくとも現在の日付及び時刻の情報を含む日付時刻情報を出力する時計制御部と、前記映像音声データに含まれている管理情報を読み出して記憶部に格納する演算部とを備えた録画再生装置であって、前記演算部は、前記再生部によって前記映像音声データが再生された時、再生された映像音声データに関連付けされている管理情報を前記記憶部から読み出すとともに、前記時計制御部から現在の日付時刻情報を取得し、前記管理情報と前記日付時刻情報とを関連付けした再生操作テーブルを生成するものである。
【発明の効果】
【００１２】
本発明の録画再生装置は、利用者の視聴履歴に基づいて、利用者の嗜好に近い録画番組情報や録画番組内の再生開始位置などを提示することで、利便性を向上させることができる。
【発明を実施するための最良の形態】
【００１３】
本発明の録画再生装置は、グラフィックスを作成する画像生成部と、グラフィックスを前記映像データに合成する画像合成部とを、さらに備え、前記演算部は、本装置の起動時に、前記時計制御部から現在時刻の情報を取得し、前記再生操作テーブルにおいて、前記現在時刻に近い時刻情報を有する前記日付時刻情報を検索し、検索して取得した前記日付時刻情報に関連付けられた管理情報を取得し、前記管理情報に含まれる情報に基づいて前記記憶部に格納されている管理情報を検索し、検索して取得した前記管理情報に基づいてリストを作成し、前記画像生成部は、前記リストに基づいたグラフィックスを生成し、前記画像合成部は、前記画像生成部で生成された前記グラフィックスを前記映像データに合成する構成とすることができる。
【００１４】
また、前記時計制御部は、曜日情報を取得可能であり、前記再生操作テーブルは、前記時計制御部で取得された前記曜日情報を含み、前記演算部は、本装置の起動時に、前記時計制御部から現在曜日の情報を取得し、前記再生操作テーブルにおいて、現在曜日に近い曜日情報を有する前記日付時刻情報を検索し、検索して取得した前記日付時刻情報に関連付けられた管理情報を取得し、前記管理情報に含まれる情報に基づいて前記記憶部に格納されている管理情報を検索し、検索して取得した前記管理情報に基づいてリストを作成する構成とすることができる。
【００１５】
また、使用者による操作を受け付ける操作部を、さらに備え、前記演算部は、前記操作部で受け付けた再生操作の種別を、前記種別毎に対応した定量的な値に変換し、前記映像音声データを再生時、前記値を所定時間毎に記録した再生位置テーブルを生成する構成とすることができる。
【００１６】
また、前記演算部は、複数の前記再生位置テーブルにおける前記値を、前記所定時間単位で平均化した平均値を算出し、前記平均値に基づいて再生操作の種別を確定し、確定した前記種別において、通常再生の操作を行なったタイミングを再生位置候補としてリストを作成し、再生位置情報の提示を行なう構成とすることができる。
【００１７】
また、前記再生位置テーブルは、前記映像音声データの時間長の種別毎に対応して複数個備えた構成とすることができる。
【００１８】
また、前記再生操作テーブル及び前記再生位置テーブルのうち少なくともいずれか一方は、利用者毎に作成可能な構成とすることができる。
【００１９】
本発明は、録画された管理情報と再生日時などの時刻情報を関連付けた情報や、録画された番組の再生操作情報を利用して、番組提示や再生位置提示を汎用的に行なうことを最も主要な特徴とする。例えば、ある曜日や時刻において、利用者が再生する番組のジャンルなどの種類や録画番組の録画時間などの情報を関連付けることにより、利用者が盛んに再生する番組の偏りを抽出する。これにより、利用者の好みと再生する日時時刻の相関関係を同定して、利用者に対して適切な番組提示機能を実現できることができる。さらに、録画番組内の再生操作情報も番組提示部の情報になる。番組開始時に一定時間のオープニングなどの毎回同じシーンが流れ、利用者は早送り操作などを行なって視聴せず、番組の本編の開始時点から視聴しないことが多く、前回視聴の途中になっていた時点からの視聴要求もＶＴＲなどのテープ状記録媒体の録画機器に操作に慣れた利用者から操作要望として少なくない。そのために、録画番組内の再生操作手順と再生時刻の関係を関連付け、番組提示や再生位置提示を実現することができる。そして、これは利用者の再生操作をより数多くサンプリングできることで再生位置提示機能の精度を高められる。以下、本発明の録画再生装置について詳述する。
【００２０】
（実施の形態１）
〔１．録画再生装置の基本構成〕
図１は、実施の形態１における録画再生装置の構成を示すブロック図である。図１において、録画再生装置１００は、変調部１０２、復号部１０３、情報媒体１０４、映像音声復号部１０５、画像合成部１０６、信号変換部１０７、記憶部１０９、演算部１１０、画像生成部１１１、操作部１１２、リモコン受信部１１３、および時計制御部１１５を備えている。また、録画再生装置１００は、受信部１０１及び表示装置１０８が外部接続されている。また、録画再生装置１００は、遠隔操作部１１４によって操作することも可能である。
【００２１】
受信部１０１は、放送事業者から送信される映像データ、音声データ、およびそれらに関連した管理情報などがアナログ信号として入力される。また、受信部１０１には、放送事業者から送信されるアナログ信号が衛星波、地上波、ケーブルなどの伝送経路を介して入力される。なお、受信部１０１は、例えばアンテナなどで構成されている。
【００２２】
変調部１０２は、受信部１０１から出力されるアナログ信号をデジタル信号に変調する。変調部１０２で変調されたデジタル信号は、例えばＭＰＥＧ２トランスポートストリームなどで構成されている。また、変調部１０２で変調されたデジタル信号は、複数のチャンネルから構成されている。
【００２３】
復号部１０３は、変調部１０２から出力されたデジタル信号の複数チャンネルから、特定のチャネルを選択すると、映像データや音声データや管理情報などのデジタルデータを取得して復調することができる。取得したデジタルデータは、例えばＭＰＥＧビデオパケット、ＭＰＥＧオーディオパケット、それらに関連した管理情報で構成されている。映像と音声のデジタルデータは情報媒体１０４に格納され、管理情報は記憶部１０９に格納される。なお、復号部１０３で取得した映像や音声などのデジタルデータを、映像音声デジタルデータと称する。また、情報媒体１０４に格納される映像音声デジタルデータは、放送番組単位で格納される。また、映像音声デジタルデータは、それに付随する各種情報（録画日時などの情報）に関するデータを含むものとする。
【００２４】
映像音声復号部１０５は、復号部１０３で復号された映像音声デジタルデータ、または情報媒体１０４から読み出された映像音声デジタルデータを復号し、映像信号と音声信号とを出力する。この映像音声復号部１０５は、例えばＭＰＥＧビデオデコーダとＭＰＥＧオーディオデコーダで構成されている。
【００２５】
画像合成部１０６は、記憶部１０９に格納されている管理情報、または画像生成部１１１から出力されるグラフィックスと、映像音声復号部１０５から出力される映像信号とを合成する。なお、画像生成部１１１から出力されるグラフィックスは、操作部１１２または遠隔操作部１１４からの操作情報に基づいて、演算部１１０が計算した結果を画像化したものである。画像合成部１０６は、映像信号とグラフィックスとを合成したデジタル信号を出力する。
【００２６】
信号変換部１０７は、画像合成部１０６から出力されたデジタル信号をアナログ信号に変換する。
【００２７】
表示装置１０８は、信号変換部１０７から出力されたアナログ映像信号とアナログ音声信号とが入力され、映像の映出及び音声の出力を行う。この表示装置１０８は、例えばブラウン管、液晶ディスプレイ、ＣＲＴディスプレイなどを備えたモニタや、テレビジョン受像機などで構成されている。また、表示装置１０８において音声出力するデバイスは、例えばスピーカなどで構成されている。
【００２８】
記憶部１０９は、復号部１０３から出力される管理情報や、演算部１１０の演算結果などが格納されている。また、記憶部１０９は、日時及び番組ジャンル毎の再生頻度分布をまとめた再生操作テーブルと、再生時の操作履歴（通常再生や早送り再生などの操作履歴）の分布をまとめた再生位置テーブルとが格納されている。再生操作テーブル及び再生位置テーブルについては後述する。
【００２９】
演算部１１０は、記憶部１０９に格納されている管理情報や、操作部１１２または遠隔操作部１１４からの操作情報によって、録画番組提示や再生位置提示の情報を作成し、記憶部１０９に格納する。利用者によって、上記情報を提示するよう操作された際に、演算部１１０は、記憶部１０９から録画番組提示と再生位置提示の情報を取得し、時計制御部１１５から現在の日付、曜日や現在時刻の情報を取得する。そいて、取得した情報に基づき、記憶部１０９に格納されている管理情報から最適な候補リストを作成し、画像生成部１１１によりグラフィックスを作成する。この演算部１１０は、例えばＣＰＵ（中央演算処理装置）などの演算処理機能を持つチップで構成されている。
【００３０】
画像生成部１１１は、演算部１１０から出力される情報（候補リストなど）に基づいてグラフィックスを作成し、画像合成部１０６に出力する。
【００３１】
操作部１１２、遠隔操作部１１４は、利用者の操作用インターフェースであり、録画や再生、選択などの操作入力を受け付ける。操作部１１２は、機器に搭載されている操作ボタンなどで構成されている。また、遠隔操作部１１４は、リモコンなどの遠隔操作可能な装置で構成されている。遠隔操作部１１４からの信号伝送は、例えば赤外線通信やブルートゥースなどの無線伝送方式により行うことができる。
【００３２】
リモコン受信部１１３は、遠隔操作部１１４から無線送信される信号を受け付け、演算部１１０に操作情報を伝達する。受信部１１３は、例えば赤外線受光部や電波受信部などで構成されている。
【００３３】
日付時刻取得部１１５は、現在の日付、曜日や時刻の情報を取得する。取得した情報は演算部１１０に出力される。この日付時刻取得部１１５は、例えばハードウェアやソフトウェアで実現された時計やカレンダーで構成されている。
【００３４】
なお、図１において、録画再生装置１００は、同一機器内で配されることが好ましい構成を含むように記載しているが、図示に示す構成に限定されるものではなく、受信部１０１や表示装置１０８を録画再生装置１００に内蔵してもよい。
【００３５】
以下、動作について説明する。
【００３６】
まず、放送番組を録画する際は、操作部１１２またはリモコン操作部１１４によって録画開始の命令が入力されると、演算部１１０は変調部１０２、復号部１０３、および情報媒体１０４を制御して、受信部１０１で受信している放送番組を、映像音声デジタルデータとして情報媒体１０４に記録させる。番組の記録動作とともに、番組に付随している情報が記憶部１０９に格納される。なお、図１において、説明の便宜上、演算部１１０から各部に接続される制御線は省略してある。
【００３７】
次に、情報媒体１０４に記録されている映像音声デジタルデータを再生する際は、操作部１１２またはリモコン操作部１１４において、所定の録画番組の再生開始の命令を受け付けると、演算部１１０は情報媒体１０４，映像音声復号部１０５などを動作制御して、情報媒体１０４に記録されている映像音声デジタルデータを映像音声復号部１０５に読み出す。映像音声復号部１０５は、読み出された映像音声デジタルデータを復号し、映像信号及び音声信号を出力する。復号された映像信号及び音声信号は、画像合成部１０６を介して信号変換部１０７に入力される、信号変換部１０７は、入力されるデジタルの映像信号及び音声信号をアナログ映像信号及びアナログ音声信号に変換して、表示装置１０８へ出力する。表示装置１０８は、入力される映像信号に基づく映像を表示デバイスに表示させるとともに、入力される音声信号に基づく音声をスピーカーなどから出力させる。
【００３８】
本実施の形態では、情報媒体１０４に記録されている映像音声デジタルデータを再生すると、再生した時の日時と、再生した映像音声デジタルデータに含まれるジャンル情報とに基づき、記憶部１０９に格納されている再生操作テーブルが更新される。また、映像音声デジタルデータの再生中、操作部１１２などの操作内容の情報と、操作部１１２が操作された時のタイミングの情報とに基づき、記憶部１０９に格納されている再生位置テーブルが更新される。なお、再生操作テーブルと再生位置テーブルの更新動作については後述する。
【００３９】
〔２．再生操作テーブルの更新処理〕
図２は、実施の形態１の録画再生装置における再生操作テーブルの更新処理の一例を示すフローチャートである。図３は、再生操作テーブルの一例を示す。
【００４０】
図２に示すように、まず、操作部１１２または遠隔操作部１１４が、所定の録画番組を再生開始する命令を受け付けると（ステップＳ１）、演算部１１０は、時計制御部１１５から現在の日付、曜日、および時刻情報を取得する（ステップＳ２）。
【００４１】
次に、演算部１１０は、記憶部１０９に格納されている再生操作テーブルを読み出す。読み出した再生操作テーブルにおいて、時計制御部１１５から取得した現在日時情報に該当する欄が、再生操作テーブル内にあるか否かを確認する。現在日時情報に該当する欄が再生操作テーブル内にあれば、ステップＳ５に進む。また、現在日時情報に該当する欄が再生操作テーブルに無ければ、ステップＳ４に進む。（ステップＳ３）。
【００４２】
ここで、図３に示す再生操作テーブルにおいて、横軸は管理情報を示し、番組ジャンルと番組時間（番組開始時刻から終了時刻までの長さ）とで構成されている。縦軸は再生日時情報を示し、利用者が録画番組の再生を行なった曜日と時刻情報で構成されている。縦軸と横軸とが交わった部分の数値は、縦軸と横軸のそれぞれに示す各条件を満たす再生回数（視聴頻度変数）を示す。例えば、図３によれば、番組時間が３０分のドラマを、金曜日の２０時台に過去１７回視聴したことがわかる。なお、図３に示す視聴頻度変数は、番組提示を行なう際の優先度の判定に使用する。
【００４３】
ステップＳ３において、再生操作テーブルに、現在日時に該当する欄が存在しなければ、再生操作テーブルに現在日時情報に該当する欄を作成する（ステップＳ４）。
【００４４】
次に、演算部１１０は、再生しようとしている映像音声デジタルデータに付随するジャンル情報（「ドラマ」や「ニュース」など）を取得する。具体的には、情報媒体１０４に記録されている映像音声デジタルデータの中から、利用者によって選択された録画番組に対応する映像音声デジタルデータを抽出し、その映像音声デジタルデータに含まれる管理情報の中からジャンル情報を取得する（ステップＳ５）。
【００４５】
次に、演算部１１０は、再生操作テーブルに、ステップＳ５で取得したジャンル情報に該当するジャンルの欄があるか否かを確認する。該当するジャンルの欄があれば、ステップＳ８へ進む。該当するジャンルの欄が無ければ、ステップＳ７へ進む（ステップＳ６）。
【００４６】
再生操作テーブルに、ステップＳ５において取得したジャンル情報に該当するジャンルの欄が存在しなければ、新たにジャンルの欄を作成する（ステップＳ７）。
【００４７】
次に、演算部１１０は、ステップＳ２で取得した現在日時情報と、ステップＳ５で取得したジャンル情報とに基づき、再生操作テーブルにおける該当欄の視聴頻度変数をインクリメントする（ステップＳ８）。例えば利用者が、金曜の２２時台に、番組時間が６０分のニュース番組を再生した場合、図３の再生操作テーブルにおける該当欄の視聴頻度変数を「６」から「７」にインクリメントする。
【００４８】
次に、演算部１１０は、再生操作テーブルを記憶部１０９に保存する（ステップＳ９）。
【００４９】
以上のように処理することで、情報媒体１０４に記録されている録画番組を再生するたびに、再生操作テーブルにおける該当の視聴日時及びジャンルにおける視聴頻度変数がインクリメントされる。よって、利用者における視聴日時毎及びジャンル毎の視聴頻度の傾向をテーブル化することができる。
【００５０】
〔３．再生位置テーブルの更新処理〕
図４は、実施の形態１における再生位置テーブルの更新処理の一例を示すフローチャートである。
【００５１】
図４に示すように、まず、操作部１１２または遠隔操作部１１４が、所定の録画番組を再生開始する命令を受け付けると（ステップＳ１１）、演算部１１０は、映像音声デジタルデータに付随する管理情報の中から、録画番組の番組時間（番組の開始から終了までの所要時間）の情報を取得する（ステップＳ１２）。
【００５２】
次に、演算部１１０は、記憶部１０９に格納されている再生位置テーブルを読み出す。読み出した再生位置テーブルにおいて、ステップＳ１２で取得した番組時間の長さに近い再生位置テーブルが存在するか否かを確認する（ステップＳ１３）。ステップＳ１３において、番組時間の長さに近い再生位置テーブルが存在する場合は、ステップＳ１５へ進む。また、番組時間の長さに近い再生位置テーブルが存在しない場合は、ステップＳ１４へ進み、予め決められている長さ候補（３０分や６０分など）から近似の再生位置テーブルを作成する。
【００５３】
次に、演算部１１０は、再生位置テーブル内に空欄があるか否かを確認する（ステップＳ１５）。再生位置テーブル内に空欄があればステップＳ１７へ進む。また、再生位置テーブル内に空欄が無ければ、ステップＳ１６へ進み、再生位置テーブルにおける一番古い欄のデータを解放し、空欄として確保する。
【００５４】
次に、演算部１１０は、再生位置テーブルの空欄を更新欄にする（ステップＳ１７）。
【００５５】
次に、演算部１１０は、指定された録画番組に対応する映像音声デジタルデータの再生が全て終了したか否かを判断し（ステップＳ１８）、再生が終了していなければ、再生開始から一定時間が経過したかを確認する（ステップＳ１９）。再生開始から一定時間が経過していなければ、一定時間が経過するまで待ち、ステップＳ１８に戻る（ステップＳ２１）。また、ステップＳ１９において、再生開始から一定時間が経過していれば、現在の再生操作状態（通常再生や早送り再生など）を再生位置テーブルの更新欄に書き込み、ステップＳ１８に戻る（ステップＳ２０）。
【００５６】
ステップＳ１８において、録画番組の再生が全て終了すれば、再生位置テーブルにおける更新欄を保存する。また、再生位置テーブル内の全欄の各時刻における平均値を求めて、予想再生手順を確定させ、再生位置候補を作成する（ステップＳ２２）。
【００５７】
次に、演算部１１０は、再生位置テーブルを記憶部１０９へ保存する（ステップＳ２３）。
【００５８】
図５は、実施の形態１の再生動作時における再生操作の種別重みの時間的変化を示すグラフである。図５は、録画番組の長さが３０分の場合に、番組内の時刻ごとに、利用者の再生操作を定量的な値に変換したものである。図５の横軸は、録画番組の経過時間を示す。縦軸は、操作の種別を定量値に対応させた再生操作の重み付けを示す。この例では、再生操作の種別の定量値として、通常再生状態を「１００」、早送り状態を「５０」、停止状態を「０」と定義している。
【００５９】
図５に示すように、録画番組の再生が開始されてからタイミングｔ１までは、例えば録画番組のオープニングテーマやコマーシャルなどが再生されるので、利用者は早送り操作を行ってスキップしている。次に、タイミングｔ１からｔ２までは、録画番組の本編が再生されるので、通常の再生操作が行われる。次に、タイミングｔ２からｔ３までは、コマーシャルなどが再生されるため、利用者は早送り操作を行ってスキップしていることを表している。本例では、録画番組の先頭から１５分経過したタイミングの前後数分を早送り操作している。
【００６０】
次に、タイミングｔ３からｔ４までは、録画番組の本編が再生されるので、通常の再生操作が行われる。次に、タイミングｔ４からｔ５までは、録画番組のエンディングテーマやコマーシャルなどが再生されるので、利用者は早送り操作を行ってスキップしていることを表している。次に、タイミングｔ５から録画番組の終端までは、録画番組の次回予告映像などが再生されるため、通常の再生操作が行われる。
【００６１】
図６は、実施の形態１の再生位置テーブルの一例を示す。図６に示す例は、録画された番組の時間の長さが３０分、利用者の操作のサンプリング数が１５個の例であり、横軸の数字は録画番組の再生時間内の各タイミングを分刻みで示す。また、縦軸の数値はサンプリング数を表す。横軸と縦軸とが交わる部分の数値は、図５で定義された再生操作の定量値を示す。合計欄は、各タイミングでのサンプリングされた再生操作の定量値を合算した値を示す。平均欄は、各タイミングでの合計値をサンプリング数で除算して作成した再生操作の定量値の平均値を示す。予想再生手順の欄は、平均値に基づいて判断した再生操作種別を示す。具体的には、定量値の平均値と、再生操作種別毎に設定されている基準の定量値とを比較し、平均値に近似の再生操作種別を確定させた結果を示す。再生位置候補の欄は、予想再生手順の中から時系列に辿っていき、早送り動作などから通常再生動作に変化した部分を特定する。特定した箇所を、利用者が視聴開始（すなわち、通常再生の開始）を行なう傾向があると判断し、再生位置候補として、再生位置提示画面を作成時に利用することができる。
【００６２】
図７は、実施の形態１における番組提示、再生位置提示画面の一例を示す。なお、図７に示す画面は、演算部１１０が記憶部１０９に格納されている再生操作テーブルと再生位置テーブルとを読み出し、各テーブル内の情報を解析して情報を生成し、生成した情報に基づいて画像生成部１１１で生成された画面である。
【００６３】
図７において、本実施の形態では２つの番組情報７１及び７２を表示させている。それぞれの番組情報には、番組名、録画日時、ジャンル、番組内容、所定の再生タイミングにおけるサムネイル画像が含まれている。サムネイル画像には、番組の先頭部分のサムネイル画像７３、本編Ａのサムネイル画像７４、本編Ｂのサムネイル画像７５、本編Ｃのサムネイル画像７６が表示されている。本編Ａは、図５におけるタイミングｔ１〜ｔ２に示す範囲に再生される映像音声である。本編Ｂは、図５におけるタイミングｔ３〜ｔ４に示す範囲に再生される映像音声である。本編Ｃは、図５におけるタイミングｔ５〜終端に示す範囲に再生される映像音声である。
【００６４】
図７に示すように、情報媒体１０４に記録されている番組の中から、現在の曜日及び時刻の情報と、過去の利用者の操作により既に作成された番組操作テーブルとの二つの情報に基づいて、利用者の嗜好に合った番組提示候補を優先順位に従ってリストアップする。さらに、リストアップされた番組提示候補の番組情報と、過去の利用者の操作により既に作成された再生位置テーブルとの二つの情報から、各番組提示候補内の再生位置候補をリストアップする。それらの番組提示候補リストと再生位置候補リストとにより、図７に示すような画面を表示装置１０８に表示させる。
【００６５】
図７に示すように表示されているサムネイル画像７３〜７６のうちいずれかを選択操作することで、選択された部分から再生を開始させることができる。例えば、本編Ａのサムネイル画像７４を選択操作することで、録画番組の本編Ａから再生を開始させることができ、早送りする頻度が比較的高い、番組の先頭部分の再生を省略することができる。
【００６６】
〔４．実施の形態の効果〕
本実施の形態によれば、録画番組と再生日時などの時刻情報とを関連付けた情報や、録画番組の再生操作情報を利用して、利用者に対する番組提示や再生位置提示を行う構成としたので、使い勝手を向上させることができる。
【００６７】
すなわち、ある曜日や時刻において、利用者が再生する番組のジャンルなどの種類や録画番組の録画時間などの情報を関連付けることにより、利用者が盛んに再生する番組の偏りを抽出する。これにより、利用者の好みと再生する日時時刻との相関関係を同定して、利用者に対して適切な番組提示を行うことができる。
【００６８】
さらに、録画番組内の再生操作情報も番組提示の際の情報になる。例えば、番組開始時に、オープニング映像などのような毎回同じシーンが流れることが多いが、利用者はこのようなシーンを早送り操作などを行なって視聴せず、番組の本編の開始時点から視聴することが多い。また、ハードディスクや光ディスクを情報媒体として利用する録画再生装置は、前回視聴の途中になっていた時点から視聴開始ができない場合が多い。そのために本実施の形態では、録画番組内の再生操作手順と再生時刻の関係を関連付け、利用者が頻繁に早送りをする再生時刻を把握して、その早送りタイミング直後の再生開始タイミングを把握する。把握した再生開始タイミングに基づいて、録画番組の本編の先頭から再生することができる。そして、これは利用者の再生操作をより数多くサンプリングすることで、再生位置提示機能の精度を高められる。
【産業上の利用可能性】
【００６９】
本発明の録画再生装置は、少なくとも放送番組を受信可能な手段と、受信した放送番組を情報媒体に対して記録及び再生することができる手段を備えた機器に有用である。例えば、一般的にテレビジョン放送を受信可能なチューナーが内蔵されているＤＶＤレコーダーやハードディスクレコーダーなどをはじめ、チューナー内蔵のパーソナルコンピューターやチューナー内蔵の携帯端末などにも応用可能である。
【図面の簡単な説明】
【００７０】
【図１】本発明の実施の形態１における録画再生装置の構成を示すブロック図
【図２】本発明の実施の形態１における再生操作テーブル作成処理フローチャート
【図３】本発明の実施の形態１における再生操作テーブルのデータ保存形式を示すテーブルマップ
【図４】本発明の実施の形態１における再生位置テーブル作成処理フローチャート
【図５】本発明の実施の形態１における再生位置情報のグラフ
【図６】本発明の実施の形態１における再生位置テーブルのデータ保存形式を示すテーブルマップ
【図７】本発明の実施の形態１における番組提示、再生位置提示画面を示す模式図
【符号の説明】
【００７１】
１０１  受信部
１０２  変調部
１０３  復号部
１０４  情報媒体
１０５  映像音声復号部
１０６  画像合成部
１０７  信号変換部
１０８  表示装置
１０９  記憶部
１１０  演算部
１１１  画像生成部
１１２  操作部
１１３  リモコン受信部
１１４  遠隔操作部
１１５  時計制御部
【図１】
2008148042.tif 000003
【図２】
2008148042.tif 000004
【図３】
2008148042.tif 000005
【図４】
2008148042.tif 000006
【図５】
2008148042.tif 000007
【図６】
2008148042.tif 000008
【図７】
2008148042.tif 000009